【手続補正書】
【提出日】平成24年5月18日(2012.5.18)
【手続補正１】
【補正対象書類名】特許請求の範囲
【補正対象項目名】請求項６
【補正方法】変更
【補正の内容】
【請求項６】
前記通信制御部は、
前記受信するメッセージパケットが受信確認信号である場合には、前記受信確認信号に含まれる前記オリジナル送信元アドレスおよび前記パケット番号を前記ラムに記憶するように制御し、前記受信されるメッセージパケットがデータ信号である場合においては、前記受信されるメッセージパケットに含まれる情報が前記ラムに記憶された前記受信確認信号に含まれる前記オリジナル送信元アドレスおよび前記パケット番号と一致する場合に、前記受信確認信号を前記送信元の無線装置に送信するように制御する、
請求項１に記載の無線メッシュネットワークシステム。
【手続補正２】
【補正対象書類名】明細書
【補正対象項目名】００１９
【補正方法】変更
【補正の内容】
【００１９】
図２は、無線装置１０のブロック図である。他の無線装置についても無線装置１０と同様の構成を有している。図２において、破線で囲んだ部分が無線装置１０であり、無線装置１０は、送信部１０２、受信部１０３、通信制御部１０４、ロム（ＲＯＭ：Ｒｅａｄ  Ｏｎｌｙ  Ｍｅｍｏｒｙ）１０５、ラム（ＲＡＭ：Ｒａｎｄｏｍ  Ａｃｃｅｓｓ  Ｍｅｍｏｒｙ）１０６、インターフェイス部１０７、電源部１０８を有して構成されている。また、無線装置１０の外部にはアンテナ１０１と、必要に応じて設けられる入出力装置１０９を備えている。
【手続補正３】
【補正対象書類名】明細書
【補正対象項目名】００５３
【補正方法】変更
【補正の内容】
【００５３】
履歴１〜履歴４の各々についての記憶されている内容は、「オリジナル送信元アドレス」、「パケット種類」、「パケット番号」および「残り再送回数」である。この４つを総称して、アールイーシーブィアイエヌエフオー変数（ＲＥＣＶＩＮＦＯ変数）と称する。
【手続補正４】
【補正対象書類名】明細書
【補正対象項目名】００６６
【補正方法】変更
【補正の内容】
【００６６】
なお、パケット種類が１種類であると予め解っている場合には、「パケット種類」についての判断は必要ではない。「パケット種類」の判断をしない場合には、受信されるメッセージパケットに含まれる情報（履歴５）が、ラム１０６に記憶された複数個（履歴４〜履歴１）の「オリジナル送信元アドレス」および「パケット番号」のすべてと一致する場合ではない場合（別の言い方をすれば、（履歴４〜履歴１）の各々の「オリジナル送信元アドレス」および「パケット番号」と履歴５のそれらとを比較して、履歴５と履歴４、履歴５と履歴３、履歴５と履歴２、または、履歴５と履歴１、の全てにおいて、「オリジナル送信元アドレス」および「パケット番号」の少なくとも一つが一致しない場合）に、受信されるメッセージパケットを転送するように制御するのである。
【手続補正５】
【補正対象書類名】明細書
【補正対象項目名】００７９
【補正方法】変更
【補正の内容】
【００７９】
「キャリアセンス」とは、ある時間を起点（キャリアセンス時間起点）として、所定時間（キャリアセンス時間）待って、その所定時間内に他の無線装置からの送信（転送）がされていないと認識した場合には、自らが転送を開始し、他の無線装置からの送信（転送）がされたと認識した場合には自らは転送をしない技術をいうものである。ここで、キャリアセンス時間は、以下の式１で表される。
キャリアセンス時間＝ランダムウエイト時間＋補正値    （式１）
式１における、ランダムウエイト時間は、０〜２ｍｓの範囲でランダムな値をとるものであり、最大２ｍｓである。また、式１における補正値は式２で表される。
補正値＝ＲＡＮＤＯＭ＿ＡＤＪ変数の値×係数          （式２）
ここで、アールエーエヌディーオーエムエーディージェイ変数（ＲＡＮＤＯＭ＿ＡＤＪ変数）の値は、０、１、２、３、４、５の値をとり、係数の値は３ｍｓである。また、キャリアセンス時間起点は、無線装置１０（図９を参照）の送信の終了の時間（図９では、時刻ｔ1、時刻ｔ2、時刻ｔ3、時刻ｔ4、時刻ｔ5）である。
【手続補正６】
【補正対象書類名】明細書
【補正対象項目名】００９２
【補正方法】変更
【補正の内容】
【００９２】
上述したように各無線装置のキャリアセンス時間は、１ｍｓの時間を有して離れており重なることがない。ランダムウエイト時間の最大値の設定に際しては、このようにして、各無線装置のキャリアセンス時間が重ならないようにして、少なくとも、１ｍｓの時間的余裕をもって他の無線装置が転送を開始したか否かを判断できるようにしている。つまり、１ｍｓ内の処理時間で無線装置は、他の無線装置が送信を開始したことを検知できる性能を有していることを前提に、この１ｍｓという時間の設定がされている。この１ｍｓの時間は、係数―（ランダムウエイト時間の最大値）に対応するものである。よって、無線装置が、他の無線装置からの転送をより速く判断できる性能を有する場合には、ランダムウエイト時間の最大値を２ｍｓより大きくして、複数の無線装置におけるランダムウエイト時間の分布をより広げて、重なって複数の無線装置から同じ情報を転送する確率を低減することができる。また、無線メッシュネットワークシステムにおける転送レートを視点として、逆の見方をすれば、以下のようなことが言える。本実施形態のキャリアセンスの処理が適切である場合には、ＲＡＮＤＯＭ＿ＡＤＪ変数の値が０に対応する無線装置が転送の動作をおこなっている場合が多いが、この場合には、キャリアセンス時間はランダムウエイト時間と等しいものとなる。よって、無線装置の性能が許す範囲で、ランダムウエイト時間の最大値の値を、例えば現在の２ｍｓよりもより短い時間に設定して、無線メッシュネットワークシステムの転送レートを大きく（速く）できる。
【手続補正７】
【補正対象書類名】明細書
【補正対象項目名】０１０４
【補正方法】変更
【補正の内容】
【０１０４】
図１２は、代理応答のフローチャートを示す図である。図１２を参照して、代理応答の処理を説明する。なお、図１２に示すフローチャートにおける処理においても、逆戻り処理において用いる図７に示すと同様な履歴テーブルを用いるが、図７に示す履歴テーブルとは異なり、メッセージパケットが受信確認信号（ＡＣＫ信号）に該当する場合の履歴のみが履歴テーブルに格納されている。したがって、逆戻り処理における履歴の対象とするメッセージパケットと代理応答における履歴の対象とするメッセージパケットは異なるが、用語としては同一の用語である「履歴」を用いる。また、履歴テーブルには受信確認信号の３つの履歴が保存されるようになされている。また、保存される内容は、「オリジナル送信元アドレス」と「宛先アドレス」と「パケット番号」との３つである。よって、ラム１０６の容量としては、３つの履歴を保存するためには、９バイトが必要とされる。
【手続補正８】
【補正対象書類名】明細書
【補正対象項目名】０１１３
【補正方法】変更
【補正の内容】
【０１１３】
つまり、以上述べた代理応答の処理の内容は以下のように要約される。当該無線装置が受信するメッセージパケットが受信確認信号である場合には、受信確認信号に含まれる「オリジナル送信元アドレス」と「宛先アドレス」と「パケット番号」とをラムに記憶するように制御する。そして、受信されるメッセージパケットがデータ信号である場合においては、受信されるメッセージパケットに含まれる情報がラムに記憶された受信確認信号に含まれる「オリジナル送信元アドレス」、「宛先アドレス」および「パケット番号」と一致する場合に、受信確認信号を送信元の無線装置に送信するように制御する。